(57)【要約】      （修正有）【課題】パネルの取り付けが簡単であり、パネルに過大な負荷をかけることなく吊り上げることのできる建築パネル用吊り冶具を提供する。【解決手段】支持部材１と、一対のパネル把持アーム２と、吊り下げ部３とを備えており、支持部材１は、パネル５の幅寸法とほぼ同一に形成し、幅方向の両側にアーム被係止部１５をそれぞれ有し、両パネル把持アーム２は、支持部材１の水平軸４ａで回動自在に軸着し、他端部にはパネル係止部７が設け、吊り下げ部３は、一端部を水平軸４ｂで回動自在に軸着するとともに、他端部にはワイヤ８の取付部９を有し、両パネル把持アーム２は、吊り下げ部３が上方に回動して所定の角度に到達したときに、パネル把持アーム２を垂直位置で止めるストッパー３２と、ストッパー３２と支持部材１が当接したときにアーム被係止部１５に係止してパネル把持アーム２がパネル５から離れる方向に向かうのを規制するアーム係止部１４を有している。【選択図】図１（ａ）（ｂ）
2011032672.tif 000002
【特許請求の範囲】
【請求項１】
支持部材と、一対のパネル把持アームと、吊り下げ部とを備えており、支持部材は、パネルの幅寸法とほぼ同一または僅かに長く形成してあると共に、幅方向の両側にアーム被係止部をそれぞれ有しており、両パネル把持アームは、一端部を支持部材の一側または他側にそれぞれ水平軸で回動自在に軸着してあり、他端部にはパネルの底面に回りこんでパネルを係止するパネル係止部が設けてあり、吊り下げ部は、一端部をパネル把持アームにおける支持部材が軸着する上位置に水平軸で回動自在に軸着するとともに、他端部にはクレーンから垂下するワイヤの取付部を有しており、両パネル把持アームは、吊り下げ部が水平軸で上方に回動して所定の角度に到達したときに、吊り下げ部の押圧力を受ける授受部と、授受部に受けた吊り下げ部からの押圧力により支持部材と当接して水平軸で下方に回動したパネル把持アームをほぼ垂直位置で止めるストッパーと、ストッパーと支持部材が当接したときに支持部材のアーム被係止部に係止してパネル把持アームがパネルから離れる方向に向かう回動を規制するアーム係止部とを有していることを特徴とする建築パネル用吊り冶具。
【請求項２】
パネル把持アームは、パネルを把持する垂直位置からパネルと離れる側に向けて水平軸で回動し、その角度位置で支持部材に固定できるロック機構部を有していることを特徴とする請求項１記載の建築パネル用吊り冶具。
【請求項３】
支持部材は、パネルの幅方向に伸縮自在な長さ調整部を有していることを特徴とする請求項１又は２記載の建築パネル用吊り冶具。
【発明の詳細な説明】
【技術分野】
【０００１】
本発明は、おもに２×４住宅などの床パネルを上層階まで吊り上げるときに使用する建築パネル用吊り冶具に関するものである。
【背景技術】
【０００２】
２×４住宅は、一般に、縦２３５ｍｍ、横３８ｍｍの枠材を４５５ｍｍ間隔に３本配置し、さらに四方を同じ断面寸法の枠材で枠組みした格子状をなすパネルを使用するものであり、上記の床パネルや壁パネルなどを組み上げて床、壁、屋根を順次施工する手法がとられている。特に２階以上の上層階部分の施工については、クレーンの先端に固定した吊り冶具を用いるものが一般的であった。具体的には、床パネルをワイヤなどで保持するとともに、そのワイヤを吊り冶具に取り付けてクレーンで吊り上げることにより施工されていた。ところが、上記のようなワイヤを掛け渡して床パネルを固定するものでは、２階床位置まで吊り上げてワイヤを外すときに、稀にではあるが床パネルの底面にワイヤが挟まることがあり、ワイヤを外す手間がかかるため作業効率を落とす問題点があった。さらに、ワイヤを掛け渡す作業は、熟練した技術を要することから、不慣れな作業者などが万一、床パネルにしっかりと掛け渡すことができなかったときには、クレーンで吊り下げられたパネルがバランスを崩す危険性があった。このような事情から、パネルを吊り上げる冶具として、特開平９−５２６８９号公報に開示されるものが登場し、パネルの端部を上部に回転軸を有する２本のアームで把持し、両アームの下端から内向きに突出する爪で下端面を支えて床パネルの落下を規制しながら、吊り上げるものがあった。
【先行技術文献】
【特許文献】
【０００３】
特開平９−５２６８９号公報
【発明の概要】
【発明が解決しようとする課題】
【０００４】
ところが、特開平９−５２６８９号公報に開示されるものでは、吊り冶具で把持したときに、両側のアームがパネルの側部に強く食い込むことにより、枠組みしたパネルの枠材が大きく変形し、最悪の場合には損傷して使い物にならなくなることがあり、さらに、パネルに強く食い込んだアームを引き離すためには多大な労力を要する懸念もある。
本発明は、上記課題を鑑みてなされたものであり、パネルの取り付けが簡単であり、しかも、パネルに過大な負荷をかけることなく安定且つ安全に吊り上げることのできる建築パネル用吊り冶具を提供することにある。
【課題を解決するための手段】
【０００５】
本発明のうち請求項１記載の発明は、支持部材と、一対のパネル把持アームと、吊り下げ部とを備えており、支持部材は、パネルの幅寸法とほぼ同一または僅かに長く形成してあると共に、幅方向の両側にアーム被係止部をそれぞれ有しており、両パネル把持アームは、一端部を支持部材の一側または他側にそれぞれ水平軸で回動自在に軸着してあり、他端部にはパネルの底面に回りこんでパネルを係止するパネル係止部が設けてあり、吊り下げ部は、一端部をパネル把持アームにおける支持部材が軸着する上位置に水平軸で回動自在に軸着するとともに、他端部にはクレーンから垂下するワイヤの取付部を有しており、両パネル把持アームは、吊り下げ部が水平軸で上方に回動して所定の角度に到達したときに、吊り下げ部の押圧力を受ける授受部と、授受部に受けた吊り下げ部からの押圧力により支持部材と当接して水平軸で下方に回動したパネル把持アームをほぼ垂直位置で止めるストッパーと、ストッパーと支持部材が当接したときに支持部材のアーム被係止部に係止してパネル把持アームがパネルから離れる方向に向かう回動を規制するアーム係止部とを有していることを特徴とする。
【０００６】
本発明のうち請求項２記載の発明では、パネル把持アームは、パネルを係止する垂直位置からパネルと離れる側に向けて水平軸で回動し、その角度位置で支持部材に固定できるロック機構部を有していることを特徴とする。
【０００７】
本発明の請求項３記載の発明では、支持部材は、パネルの幅方向に伸縮自在な長さ調整部を有していることを特徴とする。
【発明の効果】
【０００８】
本発明のうち請求項１記載の発明によれば、本発明の冶具をクレーンで吊り下げたときに、吊り下げ部が上方に回動するとともに、パネル把持アームがほぼ垂直の位置で止まり、
その位置でアーム係止部とアーム被係止部とが係止することで、パネルに対して強い把持力を加えることなく、把持によるパネルの損傷が防がれる上、パネルを本発明の吊り冶具から取り外すときも強い力を要さずに簡単に取り外すことができる。さらに、アーム係止部とアーム被係止部との係止により、パネル把持アームがパネルから離れることなく垂直な状態を保つので、パネルを本吊り冶具で吊り下げたときの万一の離脱を防いで安全を確保できる。
【０００９】
本発明のうち請求項２記載の発明によれば、本発明の吊り冶具でパネルを吊り上げて目的の場所まで運んだとき、パネルを把持した状態からパネル把持アームを跳ね上げてパネルを取り外すことができる。また、パネル把持アームでパネルを把持するときも、パネル把持アームを跳ね上げた状態で維持したまま、パネルを所定の位置に置いて把持することができるので、作業効率が格段に向上する。
【００１０】
本発明のうち請求項３記載の発明によれば、支持部材の伸縮により様々なパネルの寸法に対応して把持することができ、本発明の吊り冶具の使用可能性が一層高まることになる。
【図面の簡単な説明】
【００１１】
【図１（ａ）（ｂ）】（ａ）は、本実施による建築パネル用吊り冶具の正面図であり、（ｂ）は、使用状態を示す正面図である。
【図２（ａ）（ｂ）】（ａ）は、本実施による建築パネル用吊り冶具の平面図であり、（ｂ）は、側面図である。
【図３（ａ）（ｂ）（ｃ）（ｄ）】（ａ）は、パネル把持アームの初期状態を示す一部を拡大した正面図であり、（ｂ）は、吊り下げ部が持ち上がったときの状態を示す一部を拡大した正面図であり、（ｃ）は、ロック機構部を解除したときの状態を示す一部を拡大した正面図であり、（ｄ）は、パネル把持アームを回動した状態を示す一部を拡大した正面図である。
【図４（ａ）（ｂ）】ロック機構部の作動状態を示す一部を拡大した正面図である。
【図５（ａ）（ｂ）】本実施による支持部材の長さ調整部の作動状態を説明する正面図である。
【図６（ａ）（ｂ）】本実施によるパネル把持アームの長さ調整をしたときの状態を示す一部を拡大した正面図である。
【図７（ａ）（ｂ）】本実施による建築パネル用吊り冶具の使用状態を示す全体図である。
【発明を実施するための形態】
【００１２】
以下に、図面に基づいて本実施による建築パネル用吊り冶具について説明する。
本実施による建築パネル用吊り冶具は、図１（ａ）（ｂ）と図２（ａ）（ｂ）のように、幅方向に長いアーム状をなす支持部材１と、支持部材１の長手方向の両側部にそれぞれ水平軸４ａで回動自在に軸着するパネル把持アーム２と、パネル把持アーム２に水平軸４ｂで回動自在に軸着するクレーン（図７（ａ）（ｂ）参照）３０からの吊り下げ部３とからなっている。
【００１３】
支持部材１は、幅方向に長いアーム状をなしており、その全長は、床パネル５の幅寸法よりも僅かに長く形成してある。また、支持部材１の長手方向の両端には、支持部材１の長手方向に沿って突出したアーム被係止部（図３（ａ）参照）１５が設けてある。さらに、支持部材１上面における長手方向に間隔をあけた２箇所には、起立部６ａの上部から支持部材１の長手方向と直交方向に伸びる引寄せバー６ｂを突出するほぼＴ字型をなす鉤受け部が設けてある。また、支持部材１の両側の下端面には、支持部材１の下端面に固定する水平片と、水平片のパネル把持アーム２側の端部から垂下する垂直片とからなる、ほぼ下向きＬ字型をなすアングル２５が取り付けてある。この両側のアングル２５に床パネル５の上側コーナー部をそれぞれあてがい、パネル把持アーム２を下方に回動する前に床パネル５を位置決めする。
【００１４】
パネル把持アーム２は、上下に長いアーム状をなしており、その長手方向の一端部を支持部材１の長手方向一端側に水平軸４ａで上下方向に回動自在に軸着してある。また、支持部材１の長手方向他端側には、パネル把持アーム２の側面下端部から内向きで且つ略水平に突出したパネル係止部７を有しており、このパネル係止部７により、図１（ｂ）のように、パネル係止部７の下端（またはアームの先端）に有するＬ字アングルが回り込んで床パネル５の枠材５ａの底面を係止し、図７（ｂ）のように、クレーン３０で吊り上げたときに床パネル５を持ち上げるものである。また、パネル把持アーム２の長手方向の中間部には凸部１９が設けてあり、この凸部１９は、パネル把持アーム２がほぼ垂直の位置にあるとき、床パネル５の枠材５ａの側面を押圧して本実施による吊り冶具からの床パネル５の水平方向の抜け出しを防いでいる。また、パネル把持アーム２の下端部、つまりはパネル係止部７を含む部位は、パネル把持アーム２側は上下に間隔をあけた２箇所に、パネル係止部７側は一箇所に、それぞれに調整孔２８が設けてあり、一致させた調整孔２８にピン２６を挿通することで、パネル把持アーム２の他部からパネル係止部７を着脱できるようになっている。具体的に図６（ａ）（ｂ）のように、枠材５ａ上面に合板５ｂを先行して張ったタイプの床パネル５０では、前述した別実施形態の床パネル５よりも合板５ｂ分の肉厚が厚くなることから、パネル把持アーム２の中間部に間隔をあけて２箇所の凹部２７，２７が設けてあり、その一方でパネル係止部７側には、凹部２７に係合する丸棒２９が設けてある。これにより、下のほうの凹部２７にパネル係止部７の丸棒２９を係合し、パネル係止部７を上下に付け替えて長さの調節でき、タイプの異なる床パネル５，５０に対応した把持が可能となり、さらに、経年使用によるパネル係止部７の交換やメンテナンスなどが容易になっている。さらに、パネル把持アーム２の上部には、吊り下げ部３が上方に回動したとき、それ以上の回動を規制する授受部２３が設けてあり、授受部２３は、吊り下げ部３との当接面が傾斜している。また、パネル把持アーム２のアーム長手方向の中間部にはストッパー３２が設けてあり、パネル把持アーム２が内側に向けて回動したときに、ストッパー３２が支持部材１の端部に当接してパネル把持アーム２がほぼ垂直な位置でそれ以上の床パネル５側に回動しないように規制される。これにより、床パネル５を把持した状態では、パネル把持アーム２が床パネル５に対して強い押圧力を加えることも、また把持力を緩めることもなく、床パネル５をパネル把持アーム２による締め付けや、あるいは、パネル把持アーム２からの落下などで破損することなく安全に移動できる。
【００１５】
吊り下げ部３は、前述した支持部材１やパネル把持アーム２と同様にアーム状をなすものであり、その長手方向の一端部をパネル把持アーム２に水平軸４ｂで軸着してあり、長手方向の他端部には、クレーン（図７（ａ）（ｂ）参照）に掛け渡すワイヤ８の端部を括り付けるためのリング状をなす取付部９を有している。また、吊り下げ部３のほぼ中間部には、水平軸４ｃで上下回動自在な拘束部１０が軸着してあり、拘束部１０は、図２（ａ）のように、上壁と両側壁とからなる断面下向きほぼコ字状をなし、そのコ字の溝内に吊り下げ部３を出し入れ自在に納めることができるようになっている。さらに、拘束部１０の上壁には、拘束部１０の上下方向の回動操作を容易なものとするために上向き半円弧状をなす持ち手１１が設けてあるとともに、図４（ａ）（ｂ）のように、拘束部１０の両側壁の下端には切欠１２が設けてある。そして、パネル把持アーム２が開いて吊り下げ部３とともに拘束部１０が水平方向にスライドしたとき、その拘束部１０の切欠１２が支持部材１の上面にある鉤受け部の引寄せバー６ｂに落とし込まれて係合することで、パネル把持アーム２の回動が規制される。さらに、図３（ｄ）のように、吊り下げ部３は、ワイヤ８によって引き上げられたときに、吊り下げ部３が回動して授受部２３を押圧しても、吊り下げ部３の下方から突設する下向きほぼＬ字状をなす係合部３１が引き寄せバー６ｂの下方に位置するので、吊り下げ部３が支持部材１と平行な状態のときには係合部３１と引き寄せバー６ｂが上下に係合するとともに、拘束部１０の切欠１２と引き寄せバー６ｂの係合によっても吊り下げ部３の水平方向の移動が規制されてパネル把持アーム２が床パネル５から離れた状態を保ち、それ以上は床パネル５側に回動することがない。
【００１６】
次に、図３（ａ）〜（ｄ）と図４（ａ）（ｂ）に基づき、本実施によるロック機構部について説明する。
ロック機構部は、パネル把持アーム２に設けてあるアーム係止部１４と、支持部材１に設けてあるアーム被係止部１５と、アーム係止部１４を回動させるハンドル１６とから構成してある。まず、アーム係止部１４は、下方に突出すると共に爪１４ａを支持部材１側に向ける鉤爪状をなしており、パネル把持アーム２の側面上部に水平軸４ｄで上下に回動自在に軸着してある。また、アーム係止部１４は、水平軸４ｄを挟む他方側に、板状をなす受部１４ｂを有しており、この受部１４ｂとパネル把持アーム２の側面との間にはコイルばね１８が介在している。次に、アーム被係止部１５は、支持部材１の長手方向両端部に、両方のパネル把持アーム２と対応してそれぞれ設けてあり、その長手方向端部から上側のみが突出した段状に形成し、アーム被係止部１５の突出先端部は丸みを帯びた膨大状をなしており、パネル把持アーム２が回動してアーム係止部１４の爪１４ａが係止したときに、爪１４ａとアーム被係止部１５が上下に噛みあうことで、互いに水平方向に引き離されるような力が加わっても係止状態が保たれるようになっている。また、アーム係止部１４が水平軸４ｄで回転すれば簡単に係止状態が解除される。次に、ハンドル１６は、吊り下げ部３の上側に位置する授受部２３を介し、パネル把持アーム２の前後と一側を壁部１６ａ，１６ｂで挟む横向きほぼコ字型をなしており、このハンドル１６の前後の各壁部１６ａ，１６ａがパネル把持アーム２と支持部材１との水平軸４ａに一緒に軸着されており、さらに、前後の各壁部１６ａ，１６ａには上向き半円弧状をなすガイド孔２０が設けてあり、このガイド孔２０には吊り下げ部３の水平軸４ｂを挿通し、さらに、パネル把持アーム２側のハンドル１６の回動方向にブロック状をなす止部２４が設けてあることで、ガイド孔２０の形成範囲内でハンドル１６の回動が規制されている。そして、ハンドル１６の壁部１６ｂがアーム係止部１４の受部１４ｂに当接・押圧し、ハンドル１６がほぼ垂直位置に回動する（図３（ａ）参照）。
【００１７】
以上のように形成したロック機構部は、初期の状態では図３（ａ）と図４（ａ）のように、コイルばね１８の付勢力でアーム係止部１４の受部１４ｂがパネル把持アーム２から離れる方向に付勢されることで、水平軸４ｄで回動したアーム係止部１４がアーム被係止部１５に係止する。そして、図３（ｃ）と図４（ｂ）のように、ハンドル１６を支持部材１側に回動したときには、ハンドル１６の壁部１６ｂがコイルばね１８（コイルばね１８の作動は図３（ｃ）参照）の付勢力に逆らってアーム係止部１４の受部１４ｂを押圧し、これに伴い、図３（ｄ）のように、アーム係止部１４が水平軸４ｄで回動してアーム係止部１４とともにパネル把持アーム２がアーム被係止部１５から離れる。これにより、アーム係止部１４とアーム被係止部１５の係止状態が解除されて、両方のパネル把持アーム２で床パネル５の枠材５ａを把持した状態であっても、簡単にパネル把持アーム２を床パネル５から離すことができる。
【００１８】
本実施による建築パネル用吊り冶具のその他の構成として、図５（ａ）（ｂ）のように、床パネル５の幅寸法や種類によって支持部材１を長さ調整部で伸縮することができる。長さ調整部は具体的に、支持部材１をパネル把持アーム２と軸着する断面ほぼ矩形筒型の２つのパイプ１ａ，１ａと、この両パイプ１ａ，１ａ間に挿通する調整バー１ｂとから構成し、そのうちの調整バー１ｂには長手方向に間隔をあけて複数の調整孔１ｃが設けてあり、パイプ１ａに設けてある貫通孔１ｄと合わせて棒材１ｅを通すことにより、支持部材１の段階的な長さの調節ができる。これにより、図５（ａ）（ｂ）に示すような、枠体の表裏面に化粧版を貼ったフラッシュ型のパネルなど、様々な幅寸法や種類の床パネル５に対応して把持できる。
【００１９】
本発明の建築パネル用吊り冶具は、支持部材１やパネル把持アーム２、吊り下げ部３、さらに、ロック機構部の形状については、それぞれが前述した実施のものと同等の機能を果たすものであれば特に限定するものではない。また、パネル把持アーム２の凸部１９は、本実施のような鋭角状のもの以外に、例えば、山形アール状や、パネル把持アームの長手方向に連続した鋸刃状であってもよく、先端が突出して床パネル５の側面に応力を集中させることで、床パネル５のパネル係止部７からの不意な抜け出しを阻止する形状であればよい。また、凸部１９は、パネル係止部７においても設けてもよく、例えば図２（ｂ）のように、パネル係止部７におけるＬ字アングルの前後に間隔をあけた２箇所に設けることにより、前述したパネル把持アーム２の凸部１９と合わせてほぼ三角状に床パネル５，５０側面を押圧できることから、比較的寸法の大きな床パネル５，５０であっても強固に把持できるようになる。さらに、授受部２３については、吊り下げ部３が回動して当接する面の傾斜角度について特に限定するものではない。
【符号の説明】
【００２０】
１  支持部材
２  パネル把持アーム
３  吊り下げ部
４ａ，４ｂ，４ｃ，４ｄ  水平軸
５  ２×４住宅用床パネル（パネル）
７  パネル係止部
８  ワイヤ
９  取付部
１４  アーム係止部
１５  アーム被係止部
２３  授受部
３０  クレーン
３２  ストッパー
【図１（ａ）（ｂ）】
2011032672.tif 000003
【図２（ａ）（ｂ）】
2011032672.tif 000004
【図３（ａ）（ｂ）（ｃ）（ｄ）】
2011032672.tif 000005
【図４（ａ）（ｂ）】
2011032672.tif 000006
【図５（ａ）（ｂ）】
2011032672.tif 000007
【図６（ａ）（ｂ）】
2011032672.tif 000008
【図７（ａ）（ｂ）】
2011032672.tif 000009